(57)【特許請求の範囲】
【請求項１】
データを処理する処理装置と、データを入力する入力装置と、データを出力する出力装置と、位置取得部と、位置推定部と、分類部と、アクシデント検出部と、位置通知部とを有し、
上記位置取得部は、上記入力装置を用いて、複数の移動端末装置のそれぞれについて、上記移動端末装置の位置を表わす位置情報を繰り返し取得し、
上記位置推定部は、上記処理装置を用いて、上記複数の移動端末装置のそれぞれについて、上記位置取得部が取得した過去の位置情報に基づいて、上記移動端末装置の現在位置を推定し、
上記分類部は、上記処理装置を用いて、上記位置推定部が推定した上記移動端末装置の現在位置に基づいて、上記複数の移動端末装置を、互いの現在位置が近い移動端末装置からなる１つ以上のグループに分類し、
上記アクシデント検出部は、上記処理装置を用いて、アクシデントの発生を検出し、
上記位置通知部は、アクシデントの発生を上記アクシデント検出部が検出した場合に、上記出力装置を用いて、上記複数の移動端末装置のそれぞれに対して、上記移動端末装置以外の移動端末装置のうち、上記分類部が上記移動端末装置と同じグループに分類した移動端末装置について上記位置推定部が推定した現在位置を通知する
ことを特徴とする情報配信装置。
【請求項２】
上記情報配信装置は、更に、データを記憶する記憶装置と、分類記憶部とを有し、
上記分類記憶部は、上記記憶装置を用いて、上記複数の移動端末装置それぞれについて、上記移動端末装置の利用者が使用する言語を表わす使用言語情報と、上記移動端末装置の利用者の国籍を表わす国籍情報とのうち少なくともいずれかを分類情報として記憶し、
上記分類部は、上記処理装置を用いて、上記位置推定部が推定した上記移動端末装置の現在位置と、上記分類記憶部が記憶した分類情報とに基づいて、上記複数の移動端末装置を、互いの現在位置が近く、かつ、利用者が同一もしくは類似した言語を使用し又は利用者が同一の国籍を有する移動端末装置からなる１つ以上のグループに分類する
ことを特徴とする請求項１に記載の情報配信装置。
【請求項３】
上記位置通知部は、更に、上記出力装置を用いて、上記複数の移動端末装置のそれぞれに対して、上記分類部が同じグループに分類した移動端末装置の現在位置を平均して算出した重心位置に最も近い避難場所を通知する
ことを特徴とする請求項１または請求項２に記載の情報配信装置。
【請求項４】
データを処理する処理装置と、データを入力する入力装置と、データを出力する出力装置と、位置取得部と、位置推定部と、アクシデント検出部と、位置通知部と、方向判定部と、警告部とを有し、
上記位置取得部は、上記入力装置を用いて、複数の移動端末装置のそれぞれについて、上記移動端末装置の位置を表わす位置情報を繰り返し取得し、
上記位置推定部は、上記処理装置を用いて、上記複数の移動端末装置のそれぞれについて、上記位置取得部が取得した過去の位置情報に基づいて、上記移動端末装置の現在位置を推定し、
上記アクシデント検出部は、上記処理装置を用いて、アクシデントの発生を検出し、
上記位置通知部は、アクシデントの発生を上記アクシデント検出部が検出した場合に、上記出力装置を用いて、上記複数の移動端末装置のそれぞれに対して、上記移動端末装置以外の移動端末装置について上記位置推定部が推定した現在位置を通知し、
上記方向判定部は、上記処理装置を用いて、上記複数の移動端末装置のそれぞれについて、上記位置取得部が取得した過去の位置情報に基づいて、上記移動端末装置の移動方向を判定し、
上記警告部は、上記出力装置を用いて、上記方向判定部が判定した移動方向に基づいて、上記移動端末装置以外の移動端末装置から離れる方向へ向けて移動している移動端末装置に対して、警告を通知する
ことを特徴とする情報配信装置。
【請求項５】
上記警告部は、上記複数の移動端末装置の現在位置を平均して算出した重心位置から離れる方向へ向けて移動している移動端末装置に対して、上記警告を通知する
ことを特徴とする請求項４に記載の情報配信装置。
【請求項６】
上記位置通知部は、更に、上記出力装置を用いて、上記複数の移動端末装置のそれぞれに対して、上記移動端末装置以外の移動端末装置の移動方向、及び、上記複数の移動端末装置の移動方向を平均した方向とのうち少なくともいずれかを通知する
ことを特徴とする請求項４または請求項５に記載の情報配信装置。
【請求項７】
利用者が携帯する移動端末装置と、
請求項１から請求項６のいずれか１項に記載の情報配信装置と
を有することを特徴とする情報配信システム。
【請求項８】
データを処理する処理装置と、データを入力する入力装置と、データを出力する出力装置とを有するコンピュータが実行することにより、請求項１から請求項６のいずれか１項に記載の情報配信装置として上記コンピュータを機能させることを特徴とするコンピュータプログラム。
【請求項９】
データを処理する処理装置と、データを入力する入力装置と、データを出力する出力装置とを有する情報配信装置が、複数の移動端末装置に対して情報を配信する情報配信方法において、
上記入力装置が、上記複数の移動端末装置のそれぞれについて、上記移動端末装置の位置を表わす位置情報を繰り返し取得し、
上記処理装置が、上記複数の移動端末装置のそれぞれについて、上記入力装置が取得した過去の位置情報に基づいて、上記移動端末装置の現在位置を推定し、
上記処理装置が、推定した上記移動端末装置の現在位置に基づいて、上記複数の移動端末装置を、互いの現在位置が近い移動端末装置からなる１つ以上のグループに分類し、
上記処理装置が、アクシデントの発生を検出し、
アクシデントの発生を上記処理装置が検出した場合に、上記出力装置が、上記複数の移動端末装置のそれぞれに対して、上記移動端末装置以外の移動端末装置のうち、上記処理装置が上記移動端末装置と同じグループに分類した移動端末装置について上記処理装置が推定した現在位置を通知する
ことを特徴とする情報配信方法。
【請求項１０】
データを処理する処理装置と、データを入力する入力装置と、データを出力する出力装置とを有する情報配信装置が、複数の移動端末装置に対して情報を配信する情報配信方法において、
上記入力装置が、上記複数の移動端末装置のそれぞれについて、上記移動端末装置の位置を表わす位置情報を繰り返し取得し、
上記処理装置が、上記複数の移動端末装置のそれぞれについて、上記入力装置が取得した過去の位置情報に基づいて、上記移動端末装置の現在位置を推定し、
上記処理装置が、アクシデントの発生を検出し、
アクシデントの発生を上記処理装置が検出した場合に、上記出力装置が、上記複数の移動端末装置のそれぞれに対して、上記移動端末装置以外の移動端末装置について上記処理装置が推定した現在位置を通知し、
上記処理装置が、上記複数の移動端末装置のそれぞれについて、上記入力装置が取得した過去の位置情報に基づいて、上記移動端末装置の移動方向を判定し、
上記出力装置が、上記処理装置が判定した移動方向に基づいて、上記移動端末装置以外の移動端末装置から離れる方向へ向けて移動している移動端末装置に対して、警告を通知する
ことを特徴とする情報配信方法。
【発明の詳細な説明】
【技術分野】
【０００１】
この発明は、災害等のアクシデント発生時に情報を配信する情報配信装置に関する。
【背景技術】
【０００２】
災害等のアクシデント発生時に情報を国際的に収集・解析して提供するシステムがある。
外国で被災した被災者に対して、母国語で情報を提供するシステムがある。
【先行技術文献】
【特許文献】
【０００３】
【特許文献１】特開２００３−３６３３３号公報
【特許文献２】特開２００８−５９２５１号公報
【発明の概要】
【発明が解決しようとする課題】
【０００４】
災害等のアクシデント発生時には、電話などの通信手段が使えなくなり、被災者に情報を伝えることが難しくなる。このため、逃げ遅れるなどして、更なる被害を受ける場合がある。特に、外国など言葉が通じない場所で被災した場合は、更に深刻である。
この発明は、例えば、災害等のアクシデント発生により被災者と連絡を取ることが難しくなった場合でも、被災者が更なる被害を受けるのを最小化することを目的とする。
【課題を解決するための手段】
【０００５】
この発明にかかる情報配信装置は、
データを処理する処理装置と、データを入力する入力装置と、データを出力する出力装置と、位置取得部と、位置推定部と、アクシデント検出部と、位置通知部とを有し、
上記位置取得部は、上記入力装置を用いて、複数の移動端末装置のそれぞれについて、上記移動端末装置の位置を表わす位置情報を繰り返し取得し、
上記位置推定部は、上記処理装置を用いて、上記複数の移動端末装置のそれぞれについて、上記位置取得部が取得した過去の位置情報に基づいて、上記移動端末装置の現在位置を推定し、
上記アクシデント検出部は、上記処理装置を用いて、アクシデントの発生を検出し、
上記位置通知部は、アクシデントの発生を上記アクシデント検出部が検出した場合に、上記出力装置を用いて、上記複数の移動端末装置のそれぞれに対して、上記移動端末装置以外の移動端末装置について上記位置推定部が推定した現在位置を通知することを特徴とする。
【０００６】
上記情報配信装置は、更に、分類部を有し、
上記分類部は、上記処理装置を用いて、上記位置推定部が推定した上記移動端末装置の現在位置に基づいて、上記複数の移動端末装置を、互いの現在位置が近い移動端末装置からなる１つ以上のグループに分類し、
上記位置通知部は、アクシデントの発生を上記アクシデント検出部が検出した場合に、上記出力装置を用いて、上記複数の移動端末装置のそれぞれに対して、上記分類部が上記移動端末装置と同じグループに分類した移動端末装置について上記位置推定部が推定した現在位置を通知することを特徴とする。
【０００７】
上記情報配信装置は、更に、データを記憶する記憶装置と、分類記憶部とを有し、
上記分類記憶部は、上記記憶装置を用いて、上記複数の移動端末装置それぞれについて、上記移動端末装置の利用者が使用する言語を表わす使用言語情報と、上記移動端末装置の利用者の国籍を表わす国籍情報とのうち少なくともいずれかを記憶し、
上記分類部は、上記処理装置を用いて、上記位置推定部が推定した上記移動端末装置の現在位置と、上記分類記憶部が記憶した分類情報とに基づいて、上記複数の移動端末装置を、互いの現在位置が近く、かつ、利用者が同一もしくは類似した言語を使用し又は利用者が同一の国籍を有する移動端末装置からなる１つ以上のグループに分類することを特徴とする。
【０００８】
上記位置通知部は、更に、上記出力装置を用いて、上記複数の移動端末装置のそれぞれに対して、上記分類部が同じグループに分類した移動端末装置の現在位置を平均して算出した重心位置に最も近い避難場所を通知することを特徴とする。
【０００９】
上記情報配信装置は、更に、方向判定部と、警告部とを有し、
上記方向判定部は、上記処理装置を用いて、上記複数の移動端末装置のそれぞれについて、上記位置取得部が取得した過去の位置情報に基づいて、上記移動端末装置の移動方向を判定し、
上記警告部は、上記出力装置を用いて、上記方向判定部が判定した移動方向に基づいて、上記移動端末装置以外の移動端末装置から離れる方向へ向けて移動している移動端末装置に対して、警告を通知することを特徴とする。
【００１０】
上記警告部は、上記複数の移動端末装置の現在位置を平均して算出した重心位置から離れる方向へ向けて移動している移動端末装置に対して、上記警告を通知することを特徴とする。
【００１１】
上記位置通知部は、更に、上記出力装置を用いて、上記複数の移動端末装置のそれぞれに対して、上記移動端末装置以外の移動端末装置の移動方向、及び、上記複数の移動端末装置の移動方向を平均した方向とのうち少なくともいずれかを通知することを特徴とする。
【００１２】
この発明にかかる情報配信システムは、利用者が携帯する移動端末装置と、上記情報配信装置とを有することを特徴とする。
【００１３】
この発明にかかるコンピュータプログラムは、
データを処理する処理装置と、データを入力する入力装置と、データを出力する出力装置とを有するコンピュータが実行することにより、上記情報配信装置として上記コンピュータを機能させることを特徴とする。
【００１４】
この発明にかかる情報提供方法は、
データを処理する処理装置と、データを入力する入力装置と、データを出力する出力装置とを有する情報配信装置が、複数の移動端末装置に対して情報を配信する情報配信方法において、
上記入力装置が、上記複数の移動端末装置のそれぞれについて、上記移動端末装置の位置を表わす位置情報を繰り返し取得し、
上記処理装置が、上記複数の移動端末装置のそれぞれについて、上記入力装置が取得した過去の位置情報に基づいて、上記移動端末装置の現在位置を推定し、
上記処理装置が、アクシデントの発生を検出し、
アクシデントの発生を上記アクシデント検出部が検出した場合に、上記出力装置が、上記複数の移動端末装置のそれぞれに対して、上記移動端末装置以外の移動端末装置について上記処理装置が推定した現在位置を通知することを特徴とする。
【発明の効果】
【００１５】
この発明にかかる情報提供装置によれば、災害等のアクシデントの発生を検出した場合に、移動端末装置に対して他の移動端末装置の現在位置を通知するので、情報提供装置と移動端末装置との間の通信が途絶えたのち、移動端末装置の利用者同士が協力することにより、更なる被害を受けるのを最小化することができる。
災害等のアクシデント発生から、実際の被害が生じるまでに時間があることに着目し、その間に、被害に遭う可能性の高い人に、安心・安全情報を配信する。
【図面の簡単な説明】
【００１６】
【図１】実施の形態１における防災情報統制監視システムの全体構成の一例を示す図。
【図２】実施の形態１における情報配信システム１０の全体構成の一例を示す構成図。
【図３】実施の形態１における情報配信装置１２及び移動端末装置１３〜１５のハードウェア資源の一例を示す図。
【図４】実施の形態１における移動端末装置１３〜１５の構成の一例を示すブロック構成図。
【図５】実施の形態１における情報配信装置１２の構成の一例を示すブロック構成図。
【図６】実施の形態１における情報配信処理Ｓ１２の流れの一例を示すフロー図。
【図７】実施の形態１における分類処理Ｓ２５の流れの一例を示すフロー図。
【発明を実施するための形態】
【００１７】
実施の形態１．
実施の形態１について、図１〜図７を用いて説明する。
【００１８】
図１は、この実施の形態における防災情報統制監視システムの全体構成の一例を示す図である。
【００１９】
防災情報統制監視システムは、国際的に災害等のアクシデントを検出し、情報を共有して、利用者に知らせる。
【００２０】
例えば、宇宙空間を低軌道で飛行している観測衛星が、地上を観測して、地盤沈下などの災害やその他のアクシデントの発生を検出する。あるいは、地震計が地震を観測し、防災機関が津波の発生を予測する。
【００２１】
観測衛星は、軌道上を周回している。Ａ国上空を飛行中は、主に、Ａ国内の状況を観測し、Ａ国内に設置された地上局に向けて観測結果を送信する。また、Ｂ国上空を飛行中は、主に、Ｂ国内の状況を観測し、Ｂ国内に設置された地上局に向けて観測結果を送信する。このため、Ｂ国の防災機関が、Ｂ国内に設定された地上局から観測衛星の観測結果を取得して解析しても、Ａ国内で発生した地盤沈下についての情報を得ることができない。
【００２２】
そこで、各国内の地上局は、例えば、静止軌道上に存在する通信衛星を介して、Ｃ国内に設置された画像収集配信サーバーなどに対して、観測衛星による観測結果や各国内の観測機器による観測結果、各国内の防災機関による災害情報などの情報を送信する。
【００２３】
Ｃ国内では、衛星回線ルータが、受信した情報を振り分ける。
例えば、観測衛星が地上を撮影した衛星画像は、画像収集配信サーバーに送られる。画像収集配信サーバーは、送られた衛星画像を蓄積する。
衛星データプラットフォームは、画像収集配信サーバーに蓄積された衛星画像を取得する。
衛星データ解析システムは、衛星データプラットフォームが取得した衛星画像や、衛星回線ルータから送られた他の情報などを解析して、災害等のアクシデントの発生を検出する。例えば、衛星データ解析システムは、衛星画像の変化を監視する変化常続モニタ機能を有する。衛星データ解析システムは、変化常続モニタ機能により、異なる時刻に同じ場所を撮影した衛星画像を比較して、地形の変化を読み取り、地盤沈下などの災害やその他のアクシデントの発生を検出する。
【００２４】
防災プラットフォームは、衛星データ解析システムが検出した結果や、各国の防災機関による災害情報や、津波の解析結果などのその他の情報を総合して、国際的な地域全体の動態情報を管理する。防災プラットフォームは、管理している動態情報に基づいて、アクシデントに関する情報などを、各国の防災機関に通知する。例えば、防災プラットフォームは、Ｃ国の防災機関に対して、情報を直接送信する。あるいは、防災プラットフォームは、Ａ国やＢ国の防災機関に対して、通信衛星を介して情報を送信する。
【００２５】
各国の防災機関は、例えば外務省などの政府機関を介して、自国内に存在する他国の出先機関や、他国内に存在する自国の出先機関に対して、情報を送信する。
他国にいる各国の国民は、現在いる国の防災機関や、現在いる国に存在する母国の出先機関などから、アクシデント発生などの情報を得る。
【００２６】
図２は、この実施の形態における情報配信システム１０の全体構成の一例を示す構成図である。
【００２７】
情報配信システム１０は、情報配信装置１２と、複数の移動端末装置１３〜１５とを有する。
情報配信装置１２と移動端末装置１３〜１５との間は、例えば、公衆通信回線などの回線やインターネットなどのネットワークなどにより接続されている。
情報配信装置１２は、例えば、防災プラットフォームに設置されている。なお、情報配信装置１２は、各国の防災機関、政府機関や出先機関などに設置されている構成であってもよい。情報配信装置１２は、災害等のアクシデント発生時に、移動端末装置１３〜１５に対して情報を配信する。情報配信装置１２と移動端末装置１３〜１５との間の通信が災害等のアクシデントによって切断しても、移動端末装置１３〜１５の利用者が孤立しないようにするため、情報配信装置１２は、移動端末装置１３〜１５に対して、近くにいる他の移動端末装置１３〜１５の位置を知らせる。
移動端末装置１３〜１５は、他国にいる各国の国民などの利用者が携帯している。移動端末装置１３〜１５は、平常時から、情報配信装置１２に対して、自分の位置を通知しておく。情報配信装置１２は、災害等のアクシデント発生前に通知された位置に基づいて、災害等のアクシデント発生後、速やかに、他の移動端末装置１３〜１５の位置を通知する。
【００２８】
図３は、この実施の形態における情報配信装置１２及び移動端末装置１３〜１５のハードウェア資源の一例を示す図である。
【００２９】
情報配信装置１２及び移動端末装置１３〜１５は、例えば、処理装置９１と、記憶装置９４と、入力装置９２と、出力装置９３とを有するコンピュータである。
処理装置９１は、コンピュータプログラムを実行することにより、データを処理するとともに、入力装置９２，出力装置９３，記憶装置９４を制御する。
記憶装置９４は、処理装置９１が実行するコンピュータプログラムや、処理装置９１が処理するデータなどを記憶する。
入力装置９２は、外部から情報を入力して、処理装置９１が処理できるデータに変換する。入力装置９２が変換したデータは、処理装置９１が直接処理してもよいし、記憶装置９４が一時的に記憶してもよい。例えば、入力装置９２は、キーボード、マウス、タッチパッドなど、操作者による操作を入力する操作入力装置である。あるいは、入力装置９２は、静止画像や動画像などを撮影するカメラである。あるいは、入力装置９２は、音声を入力するマイクである。あるいは、入力装置９２は、温度や加速度や方位などの物理量を検知するセンサである。あるいは、入力装置９２は、全地球測位システム（ＧＰＳ）などにより自身の位置を測定する位置測定装置である。あるいは、入力装置９２は、アナログ信号をデジタルデータに変換するアナログデジタル変換器である。あるいは、入力装置９２は、他の装置が送信した信号を受信して復号する受信装置である。
出力装置９３は、処理装置９１が処理したデータや記憶装置９４が記憶したデータを変換して、外部に出力する。例えば、出力装置９３は、静止画像や動画像や文字などを表示する表示装置である。あるいは、出力装置９３は、音声を出力するスピーカである。あるいは、出力装置９３は、モータなど機械的な動作をする機械要素である。あるいは、出力装置９３は、デジタルデータをアナログ信号に変換するデジタルアナログ変換器である。あるいは、出力装置９３は、所定の変調方式で変調した信号を他の装置に対して送信する送信装置である。
【００３０】
以下で説明する情報配信装置１２などの機能ブロックは、例えば、記憶装置９４が記憶したコンピュータプログラムを処理装置９１が実行することにより実現することができる。しかし、以下で説明する機能ブロックは、アナログ回路など他の電気的構成や、機械的構成など、他の構成により実現するものであってもよい。
【００３１】
図４は、この実施の形態における移動端末装置１３〜１５の構成の一例を示すブロック構成図である。
【００３２】
それぞれの移動端末装置１３〜１５は、例えば、位置測定部３０と、位置送信部３１と、位置受信部３２と、位置表示部３３と、警告受信部３４と、警告出力部３５とを有する。
【００３３】
位置測定部３０は、位置測定装置などの入力装置９２を用いて、自身の位置を表わす情報（以下「位置情報」と呼ぶ。）を取得する。位置情報には、例えば、緯度及び経度及び高度などがある。例えば、位置測定部３０は、ＧＰＳにより、自身の位置を測定する。あるいは、位置測定部３０は、接続している基地局やアクセスポイントなどの情報に基づいて、処理装置９１を用いて、自身の位置を算出する。あるいは、位置測定部３０は、接続している基地局やアクセスポイントなどから、受信装置などの入力装置９２を用いて、基地局やアクセスポイントなどの位置を表わす情報を受信し、自身の位置とみなす。
位置送信部３１は、送信装置などの出力装置９３を用いて、位置測定部３０が取得した位置情報を、情報配信装置１２に対して送信する。位置送信部３１は、位置情報を繰り返し送信する。位置送信部３１は、例えば５分から１０分に１回の割合で、位置情報を送信する。
【００３４】
位置受信部３２は、受信装置などの入力装置９２を用いて、情報配信装置１２から、他の移動端末装置１３〜１５の位置情報を受信する。
位置表示部３３は、表示装置などの出力装置９３を用いて、位置測定部３０が取得した自身の位置情報や、位置受信部３２が受信した他の移動端末装置１３〜１５の位置情報を表示する。
【００３５】
警告受信部３４は、受信装置などの入力装置９２を用いて、情報配信装置１２から、警告を受信する。
警告出力部３５は、表示装置やスピーカなどの出力装置９３を用いて、警告受信部３４が受信した警告を出力する。
【００３６】
図５は、この実施の形態における情報配信装置１２の構成の一例を示すブロック構成図である。
【００３７】
情報配信装置１２は、例えば、位置取得部２０と、位置記憶部２１と、位置推定部２２と、分類記憶部２３と、アクシデント検出部２４と、分類部２５と、位置通知部２６と、方向判定部２７と、警告部２８とを有する。
【００３８】
位置取得部２０は、受信装置などの入力装置９２を用いて、移動端末装置１３〜１５から、位置情報を取得する。
位置記憶部２１は、記憶装置９４を用いて、位置取得部２０が記憶した位置情報を記憶する。
【００３９】
位置推定部２２は、処理装置９１を用いて、位置記憶部２１が記憶した位置情報に基づいて、移動端末装置１３〜１５それぞれの現在位置を推定する。例えば、位置推定部２２は、１つの移動端末装置について位置記憶部２１が記憶した最新の位置情報と、一つ前の位置情報とに基づいて、移動端末装置の移動方向及び移動速度を算出する。位置推定部２２は、算出した移動速度に、最新の位置情報の測定時刻から現在時刻までの経過時間を乗じて、移動距離を算出する。位置推定部２２は、最新の位置情報と、移動方向と、移動距離とに基づいて、移動端末装置の推定現在位置を算出する。
【００４０】
分類記憶部２３は、記憶装置９４を用いて、移動端末装置１３〜１５のそれぞれについて、分類情報をあらかじめ記憶している。分類情報は、移動端末装置１３〜１５を分類するための情報を表わす。例えば、分類情報は、利用者が使用する言語を表わす使用言語情報である。利用者が複数の言語を使用できる場合、使用言語情報は、利用者が使用する言語のリストであってもよい。
【００４１】
アクシデント検出部２４は、処理装置９１を用いて、災害等のアクシデントが発生したことを検出する。例えば、アクシデント検出部２４は、地震計などのセンサを用いて地震などの災害の発生を直接検出する。あるいは、アクシデント検出部２４は、受信装置などの入力装置９２を用いて、他の装置が検出した災害についての情報を受信することにより、災害の発生を間接的に検出する構成であってもよい。アクシデント検出部２４は、例えば、緊急地震速報、津波警報、大雨洪水警報、台風情報、防災無線などを受信する。
【００４２】
分類部２５は、処理装置９１を用いて、移動端末装置１３〜１５を分類する。分類部２５は、アクシデント検出部２４が災害等のアクシデント発生を検出した場合に、分類をする。分類部２５は、位置推定部２２が推定した現在位置と、分類記憶部２３が記憶した利用者の使用言語とに基づいて、現在位置が比較的近く、かつ、利用者の使用言語が同一の移動端末装置１３〜１５を同じグループに分類する。すなわち、災害等のアクシデント発生時に比較的近くにいて言葉が通じる利用者同士を一つのグループにする。グループの数は、あらかじめ定めず、状況に応じて可変とする。
例えば、分類部２５は、仮のグループとして、それぞれのグループに移動端末装置が１つずつ属するグループを形成する。分類部２５は、このグループのなかから、近いグループを２つ選択して、１つにまとめる。これを、分類部２５は、１つにまとめられるグループがなくなるまで繰り返す。
２つのグループが近いか否かは、例えば、グループ間の距離と、グループに属する移動端末装置の数と、グループに属する移動端末装置の利用者の使用言語とによって判定される。分類部２５は、例えば、２つのグループにそれぞれ属する２つの移動端末装置の間の距離のうち、最も短い距離（最短法）、あるいは、最も長い距離（最長法）を、その２つのグループの間の距離とする。あるいは、分類部２５は、それぞれのグループに属する移動端末装置の位置を平均した位置（グループの重心位置）の間の距離（重心法）を、グループ間の距離とする。分類部２５は、グループ間の距離が短いほど、２つのグループが近いと判定する。
また、分類部２５は、例えば、２つのグループのうち移動端末装置の数が少ないほうのグループに属する移動端末装置の数が少ないほど、２つのグループが近いと判定する。これにより、近くにグループ化できる相手がいない場合は、少し離れた位置にある移動端末装置と同じグループに分類される。
また、分類部２５は、２つのグループの言語を比較して、その２つのグループが近いか否かを判定する。グループの言語とは、そのグループに属する移動端末装置の利用者が使用する言語のことである。そのグループに属する移動端末装置の利用者が、全員同じ１つの言語だけを使用する場合、その言語がグループの言語である。分類部２５は、グループの言語が同一ならグループが近いと判定し、グループの言語が異なればグループが遠いと判定する。
そのグループに属する移動端末装置の利用者のなかに複数の言語を使用する利用者がいる場合など、グループの言語が複数ある場合、グループの言語のなかに同じ言語があれば、２つのグループが近いと判定し、グループの言語のなかに同じ言語がなければ、２つのグループが遠いと判定する。複数の言語を使用する利用者がいれば、その利用者が通訳になって意思を疎通できるからである。
なお、言語間の類似度を分類部２５があらかじめ記憶しておき、グループの言語のなかに同じ言語がない場合でも、類似度が高い言語がある場合には比較的近いと判定し、類似度が高い言語がない場合には比較的遠いと判定する構成であってもよい。言語の類似度が高ければ、完全には理解できなくても、なんとか意思を疎通できるからである。
【００４３】
位置通知部２６は、送信装置などの出力装置９３を用いて、分類部２５による分類結果に基づいて、移動端末装置１３〜１５のそれぞれに対して、同じグループに分類された他の移動端末装置について位置推定部２２が推定した現在位置を送信する。
【００４４】
方向判定部２７は、処理装置９１を用いて、分類部２５による分類結果に基づいて、移動端末装置１３〜１５のそれぞれについて、同じグループに分類された他の移動端末装置へ近づく方向へ移動しているか離れる方向へ移動しているかを判定する。例えば、方向判定部２７は、同じグループに分類された移動端末装置について位置推定部２２が推定した現在位置を平均して、グループの重心位置を算出する。方向判定部２７は、それぞれの移動端末装置について、位置推定部２２が算出した移動方向と、位置推定部２２が推定した現在位置とに基づいて、その移動端末装置が属するグループの重心位置から離れる方向へ移動しているか、近づく方向へ移動しているかを判定する。
【００４５】
警告部２８は、同じグループに分類された他の移動端末装置から離れる方向へ移動していると方向判定部２７が判定した移動端末装置に対して、送信装置などの出力装置９３を用いて、警告を送信する。
【００４６】
このように、災害等のアクシデント発生時において、近くにいる他の利用者の位置を通知することにより、利用者同士が合流して助け合えるようにする。
災害等のアクシデント発生後、情報配信装置１２と移動端末装置１３〜１５との間の通信がいまのところ保たれていたとしても、いつ切断するかわからない。例えば、通信トラフィックの増大により、交換機やサーバがダウンしたり、発信制限がかかったりする可能性がある。また、緊急地震速報が出た場合などでは、その時点では災害等のアクシデントの影響が出ていなくても、これから影響が出て、本格的な被害が発生する可能性がある。
そこで、わずかしかないかもしれない猶予期間の間に、他の利用者の位置を通知する。これにより、利用者同士が合流して助け合うことができる。
【００４７】
また、外国人が日本を旅行している場合や、日本人が海外を旅行している場合のように、言葉が通じにくい地域にいるときに災害等のアクシデントに遭うと、心細いだけでなく、ニュースなどが理解できないために逃げ遅れる可能性がある。同じ言語を使用する者同士で助け合うことにより、励ましあったり、一緒に避難したりすることができる。
【００４８】
図６は、この実施の形態における情報配信処理Ｓ１２の流れの一例を示すフロー図である。
【００４９】
情報配信処理Ｓ１２において、情報配信装置１２は、平常時に、移動端末装置１３〜１５から位置情報を取得し、災害等のアクシデント発生時に、移動端末装置１３〜１５に対して情報を配信する。情報配信処理Ｓ１２は、例えば、位置取得工程Ｓ２０と、速度算出工程Ｓ２１と、アクシデント検出工程Ｓ２２と、端末選択工程Ｓ２３と、位置推定工程Ｓ２４と、分類処理Ｓ２５と、グループ選択工程Ｓ２６と、重心算出工程Ｓ２７と、端末選択工程Ｓ２８と、方向判定工程Ｓ２９と、位置通知工程Ｓ３０と、警告通知工程Ｓ３１とを有する。
【００５０】
位置取得工程Ｓ２０において、位置取得部２０は、いずれかの移動端末装置から送信された位置情報を受信する。
いずれの移動端末装置も位置情報を送信していない場合、位置取得部２０は、アクシデント検出工程Ｓ２２へ処理を進める。
いずれかの移動端末装置が位置情報を送信した場合、位置取得部２０は、その位置情報を受信する。位置記憶部２１は、位置取得部２０が受信した位置情報を、その位置情報を送信した移動端末装置と対応づけて記憶し、速度算出工程Ｓ２１へ処理を進める。
【００５１】
速度算出工程Ｓ２１において、位置推定部２２は、位置取得工程Ｓ２０で位置取得部２０が受信した位置情報と、その位置情報を送信した移動端末装置についての以前の位置情報とに基づいて、その移動端末装置の移動方向及び移動速度を算出する。位置推定部２２は、算出した移動方向及び移動速度を、その移動端末装置と対応づけて記憶しておく。
位置取得部２０は、位置取得工程Ｓ２０に処理を戻し、次の位置情報を受信する。
【００５２】
アクシデント検出工程Ｓ２２において、アクシデント検出部２４は、災害等のアクシデントの発生を検出する。
災害等のアクシデントの発生を検出しない場合、位置取得部２０は、位置取得工程Ｓ２０に処理を戻し、次の位置情報を受信する。
災害等のアクシデントの発生を検出した場合、アクシデント検出部２４は、端末選択工程Ｓ２３へ処理を進める。
【００５３】
位置推定部２２は、移動端末装置を一つずつ処理して、それぞれの移動端末装置の現在位置を推定する。
【００５４】
端末選択工程Ｓ２３において、位置推定部２２は、位置記憶部２１が位置情報を記憶した移動端末装置のなかから、まだ処理をしていない移動端末装置を一つ選択する。
すべての移動端末装置が処理済であり、まだ処理をしていない移動端末装置が存在しない場合、位置推定部２２は、分類処理Ｓ２５へ処理を進める。
まだ処理をしていない移動端末装置が存在する場合、位置推定部２２は、まだ処理をしていない移動端末装置のなかから移動端末装置を一つ選択する。位置推定部２２は、位置推定工程Ｓ２４へ処理を進める。
【００５５】
位置推定工程Ｓ２４において、位置推定部２２は、端末選択工程Ｓ２３で選択した移動端末装置について、位置取得工程Ｓ２０で位置記憶部２１が記憶した位置情報と、速度算出工程Ｓ２１で記憶した移動方向及び移動速度とに基づいて、移動端末装置の現在位置を算出する。移動方向及び移動速度をあらかじめ算出しておくことにより、現在位置算出にかかる処理時間を短くすることができる。
位置推定部２２は、端末選択工程Ｓ２３に処理を戻し、次の移動端末装置を選択する。
【００５６】
分類処理Ｓ２５において、分類部２５は、移動端末装置をグループに分類する。
【００５７】
方向判定部２７は、分類部２５が分類したグループを一つずつ処理する。
【００５８】
グループ選択工程Ｓ２６において、方向判定部２７は、分類部２５が分類したグループのなかから、まだ処理していないグループを一つ選択する。
すべてのグループが処理済であり、まだ処理していないグループが存在しない場合、方向判定部２７は、情報配信処理Ｓ１２を終了する。
まだ処理していないグループが存在する場合、方向判定部２７は、まだ処理していないグループのなかから、グループを一つ選択する。方向判定部２７は、重心算出工程Ｓ２７へ処理を進める。
【００５９】
重心算出工程Ｓ２７において、方向判定部２７は、グループ選択工程Ｓ２６で選択したグループに分類処理Ｓ２５で分類部２５が分類したすべての移動端末装置について位置推定工程Ｓ２４で位置推定部２２が推定した現在位置を平均して、グループの重心位置を算出する。
【００６０】
方向判定部２７は、グループ選択工程Ｓ２６で選択したグループに分類された移動端末装置を一つずつ処理する。
【００６１】
端末選択工程Ｓ２８において、方向判定部２７は、グループ選択工程Ｓ２６で選択したグループに分類処理Ｓ２５で分類部２５が分類した移動端末装置のなかから、まだ処理していない移動端末装置を一つ選択する。
すべての移動端末装置が処理済であり、まだ処理していない移動端末装置が存在しない場合、方向判定部２７は、グループ選択工程Ｓ２６に処理を戻し、次のグループを選択する。
まだ処理していない移動端末装置が存在する場合、方向判定部２７は、まだ処理していない移動端末装置のなかから、移動端末装置を一つ選択する。方向判定部２７は、方向判定工程Ｓ２９へ処理を進める。
【００６２】
方向判定工程Ｓ２９において、方向判定部２７は、グループ選択工程Ｓ２６で選択したグループについて重心算出工程Ｓ２７で算出した重心位置と、端末選択工程Ｓ２８で選択した移動端末装置について、速度算出工程Ｓ２１で位置推定部２２が算出した移動方向及び移動速度と、位置推定工程Ｓ２４で位置推定部２２が推定した現在位置とに基づいて、移動端末装置がグループの重心位置から遠ざかる方向へ移動しているか、グループの重心位置に近づく方向へ移動しているかを判定する。
移動端末装置がグループの重心位置から遠ざかる方向へ移動していると判定した場合、方向判定部２７は、警告通知工程Ｓ３１へ処理を進める。
移動端末装置がグループの重心位置に近づく方向へ移動していると判定した場合、方向判定部２７は、位置通知工程Ｓ３０へ処理を進める。
【００６３】
位置通知工程Ｓ３０において、位置通知部２６は、端末選択工程Ｓ２８で方向判定部２７が選択した移動端末装置に対して、グループ選択工程Ｓ２６で選択したグループに属する他の移動端末装置の位置情報を通知する。
方向判定部２７は、端末選択工程Ｓ２８に処理を戻し、次の移動端末装置を選択する。
【００６４】
警告通知工程Ｓ３１において、位置通知部２６は、端末選択工程Ｓ２８で方向判定部２７が選択した移動端末装置に対して、グループ選択工程Ｓ２６で選択したグループに属する他の移動端末装置の位置情報を通知する。
警告部２８は、端末選択工程Ｓ２８で方向判定部２７が選択した移動端末装置に対して、移動方向が異なる旨の警告を通知する。
方向判定部２７は、端末選択工程Ｓ２８に処理を戻し、次の移動端末装置を選択する。
【００６５】
図７は、この実施の形態における分類処理Ｓ２５の流れの一例を示すフロー図である。
【００６６】
分類処理Ｓ２５は、例えば、端末選択工程Ｓ５０と、グループ生成工程Ｓ５１と、グループ選択工程Ｓ５２と、評価値算出工程Ｓ５３と、結合判定工程Ｓ５４と、グループ結合工程Ｓ５５と、グループ選択工程Ｓ５６と、評価値算出工程Ｓ５７とを有する。
【００６７】
分類部２５は、移動端末装置を一つずつ別のグループに仮分類する。
【００６８】
端末選択工程Ｓ５０において、分類部２５は、位置推定工程Ｓ２４で位置推定部２２が位置情報を推定した移動端末装置のなかから、まだ処理していない移動端末装置を一つ選択する。
すべての移動端末装置が処理済であり、まだ処理していない移動端末装置が存在しない場合、分類部２５は、結合判定工程Ｓ５４へ処理を進める。
まだ処理していない移動端末装置が存在する場合、分類部２５は、まだ処理していない移動端末装置のなかから、移動端末装置を一つ選択する。分類部２５は、グループ生成工程Ｓ５１へ処理を進める。
【００６９】
グループ生成工程Ｓ５１において、分類部２５は、新しいグループを生成する。分類部２５は、端末選択工程Ｓ５０で選択した移動端末装置を、生成した新しいグループに分類する。例えば、分類部２５は、１つのグループについて、そのグループに属する移動端末装置の数、そのグループに属する移動端末装置のリスト、そのグループに属する移動端末装置の利用者が使用する言語のリストなどを記憶する。分類部２５は、新しく生成したグループについて、移動端末装置の数を１に設定し、移動端末装置のリストに端末選択工程Ｓ５０で選択した移動端末装置を入れ、使用言語のリストに、端末選択工程Ｓ５０で選択した移動端末装置について分類記憶部２３が記憶した言語を入れる。
【００７０】
分類部２５は、既にあるグループを一つずつ処理して、新しく生成したグループとの間の近さを表わす評価値を算出する。
【００７１】
グループ選択工程Ｓ５２において、分類部２５は、グループ生成工程Ｓ５１で新しく生成したグループ以外の既にあるグループのなかから、まだ処理していないグループを１つ選択する。
既にあるグループがすべて処理済であり、まだ処理していないグループが存在しない場合、分類部２５は、端末選択工程Ｓ５０に戻り、次の移動端末装置を選択する。
まだ処理していないグループが存在する場合、分類部２５は、まだ処理していないグループのなかからグループを一つ選択する。
【００７２】
評価値算出工程Ｓ５３において、分類部２５は、グループ生成工程Ｓ５１で新しく生成したグループと、グループ選択工程Ｓ５２で選択したグループとのペアについて、評価値を算出する。
例えば、分類部２５は、２つのグループの間の距離を算出する。それぞれのグループに属する移動端末装置が１つずつしかないので、２つのグループの間の距離を算出する方式が最短法であっても最長法であっても重心法であっても、その２つの移動端末装置の間の距離がグループ間の距離になる。分類部２５は、算出したグループ間の距離を記憶しておく。
次に、分類部２５は、２つのグループの間の使用言語の共通度を算出する。分類部２５は、それぞれのグループについて記憶した使用言語のリストに、共通する言語があるか否かを判定する。
共通する言語がある場合、分類部２５は、共通度を１にする。
共通する言語がない場合、分類部２５は、それぞれのグループについて記憶した使用言語のリストのなかから言語を１つずつ選択したペアのうち、最も類似している２つの言語のペアを判定する。分類部２５は、判定したペアの類似度に基づいて、共通度を算出する。共通度は、例えば、１以上ａ以下の数値（ただし、ａは、１より大きい所定の実数。）であり、２つの言語が類似しているほど小さい値をとり、２つの言語が類似していないほど大きい値をとる。
分類部２５は、グループ間の距離と共通度との積を算出して、そのペアの評価値とする。評価値が小さいほど、２つのグループが近いことを表わす。分類部２５は、算出した評価値を記憶しておく。
分類部２５は、グループ選択工程Ｓ５２に処理を戻し、次のグループを選択する。
【００７３】
結合判定工程Ｓ５４において、分類部２５は、評価値算出工程Ｓ５３（または評価値算出工程Ｓ５７）で評価値を算出した評価値に基づいて、評価値が最も小さいペアを判定する。分類部２５は、判定したペアの評価値を、所定の閾値と比較する。
評価値が閾値より小さい場合、その２つのグループを結合する。分類部２５は、グループ結合工程Ｓ５５へ処理を進める。
評価値が閾値より大きい場合、グループの結合を終了する。最終的なグループは、分類部２５がその時点で記憶しているグループになる。分類部２５は、分類処理Ｓ２５を終了する。
【００７４】
グループ結合工程Ｓ５５において、分類部２５は、新しいグループを生成する。分類部２５は、結合判定工程Ｓ５４で評価値が最も小さいと判定したペアである２つのグループに属するすべての移動端末装置を、新しく生成したグループに分類する。分類部２５は、結合した２つのグループを、新しく生成したグループで置き換え、古い２つのグループを削除する。
例えば、分類部２５は、結合する２つのグループについて記憶した移動端末装置の数を合計して、新しく生成したグループについての移動端末装置の数とする。分類部２５は、結合する２つのグループについて記憶した移動端末装置のリストを連結して、新しく生成したグループについての移動端末装置のリストとする。分類部２５は、結合する２つのグループについて記憶した使用言語のリストを連結し、重複する言語を削除して、新しく生成したグループについての使用言語のリストとする。
【００７５】
分類部２５は、新しく生成したグループ（及び結合した２つのグループ）以外のグループを一つずつ処理して、新しく生成したグループとの間の評価値を算出する。
【００７６】
グループ選択工程Ｓ５６において、分類部２５は、新しく生成したグループ（及び結合した２つのグループ）以外のグループのなかから、まだ処理していないグループを一つ選択する。
すべてのグループが処理済であり、まだ処理していないグループが存在しない場合、分類部２５は、結合判定工程Ｓ５４に戻り、次に結合するグループを判定する。
まだ処理していないグループが存在する場合、分類部２５は、まだ処理していないグループを１つ選択する。分類部２５は、評価値算出工程Ｓ５７へ処理を進める。
【００７７】
評価値算出工程Ｓ５７において、分類部２５は、グループ結合工程Ｓ５５で新しく生成したグループと、グループ選択工程Ｓ５６で選択したグループとのペアについて、評価値を算出する。
例えば、分類部２５は、２つのグループの間の距離を算出する。最短法の場合、分類部２５は、結合した２つのグループそれぞれと、選択したグループとの間の距離のうち、短いほうの距離を、新しく生成したグループと、選択したグループとの間の距離とする。最長法の場合、分類部２５は、結合した２つのグループそれぞれと、選択したグループとの間の距離のうち、長いほうの距離を、新しく生成したグループと、選択したグループとの間の距離とする。重心法の場合、分類部２５は、結合した２つのグループそれぞれの重心位置を、それぞれのグループに属する移動端末装置の数を重みとして重み付け平均することにより、新しく生成したグループの重心位置を算出し、算出した重心位置を使って、選択したグループとの間の距離を算出する。
分類部２５は、２つのグループそれぞれに属する移動端末装置の数のうち、少ないほうの数を判定する。また、分類部２５は、評価値算出工程Ｓ５３と同様にして、２つのグループの間の使用言語の共通度を算出する。
分類部２５は、２つのグループの間の距離と、少ないほうのグループの移動端末装置の数と、共通度との積を算出して、そのペアの評価値とする。
分類部２５は、グループ選択工程Ｓ５６に処理を戻し、次のグループを選択する。
【００７８】
このようにして、グループ間の評価値が小さいグループから順に結合していき、閾値より小さい評価値のペアがなくなるまで繰り返す。評価値は、グループ間の距離が短かいほど小さくなるので、距離が近いグループほど結合されやすい。また、評価値は、使用する言語が似ているほど小さくなるので、言葉が通じる利用者のグループほど結合されやすい。また、評価値は、移動端末装置の数が少ないグループほど小さくなるので、移動端末装置の数が少ないグループほど結合されやすい。これにより、小さいグループが孤立するのを防ぐことができる。
【００７９】
なお、移動端末装置の分類がすべて終わってから位置情報を送信するのではなく、分類処理Ｓ２５の途中で、同じグループになるとわかった移動端末装置から順次、位置情報を送信する構成であってもよい。
例えば、グループ結合工程Ｓ５５において、位置通知部２６は、結合する２つのグループのいずれかに属する移動端末装置のそれぞれに対して、他方のグループに属するすべての移動端末装置の位置情報を送信する。
これにより、分類処理Ｓ２５が終わる前に、情報配信装置１２と移動端末装置１３〜１５との間の通信が切断した場合でも、移動端末装置１３〜１５の利用者に対して、近くにいる他の利用者の位置を、一部だけでも通知することができる。
【００８０】
また、移動端末装置を分類せず、情報配信装置１２は、すべての移動端末装置１３〜１５に対して、他のすべての移動端末装置の位置情報を送信する構成であってもよい。
【００８１】
また、情報配信装置１２は、災害等のアクシデントの発生をアクシデント検出部２４が検出した場合に、移動端末装置１３〜１５に対して一斉に、位置情報の送信を要求するリクエストを送信する構成であってもよい。移動端末装置１３〜１５は、リクエストを受信した場合、自分の位置情報を情報配信装置１２に対してすぐに送信する。その後、移動端末装置１３〜１５は、通常よりも短い間隔（例えば１分おき）で、自分の位置情報を情報配信装置１２に対して送信する。これにより、移動端末装置１３〜１５の現在位置や移動方向・移動速度の推定精度を高めることができる。
なお、情報配信装置１２は、通信回線の混雑度に基づいて、移動端末装置１３〜１５に対して、位置情報を送信する間隔を指示する構成であってもよい。通信回線が混雑している場合には、位置情報の送信間隔を長くする。これにより、通信回線のパンクを防ぐことができる。
【００８２】
なお、位置通知部２６や警告部２８は、分類記憶部２３が記憶した使用言語に基づいて、移動端末装置１３〜１５に対して、その移動端末装置の利用者が使用する言語によって情報を通知する構成であってもよい。
【００８３】
また、情報配信装置１２は、他の移動端末装置の位置情報だけでなく、移動端末装置が他の移動端末装置と直接通信するための情報を、移動端末装置に対して通知する構成であってもよい。移動端末装置１３〜１５は、情報配信装置１２との間の通信が途絶えた場合、近くにある他の移動端末装置との間で、ピアツーピア（Ｐ２Ｐ）通信やアドホック通信などインフラストラクチャに頼らない通信方式で直接通信する。これにより、災害等のアクシデントにより電話などが通じない場合でも、利用者同士が連絡を取り、協力することができる。
【００８４】
なお、分類記憶部２３が記憶する分類情報は、使用言語情報に限らず、移動端末装置を分類するために使うことができる情報であればよい。
【００８５】
例えば、分類記憶部２３は、使用言語情報ではなく、移動端末装置の利用者の国籍を表わす国籍情報を分類情報として記憶する構成であってもよい。その場合、分類部２５は、現在位置が比較的近く、かつ、利用者の国籍が同一の移動端末装置を同じグループに分類する。
そうすれば、同国人同士で助け合うことができる。
【００８６】
また、分類記憶部２３は、使用言語情報と国籍情報との両方を分類情報として記憶する構成であってもよい。その場合、分類部２５は、現在位置が比較的近く、かつ、利用者の使用言語が同一であり、かつ、利用者の国籍が同一である移動端末装置を同じグループに分類する。なお、分類したグループに属する移動端末装置の数が所定の閾値より少ない場合、分類部２５は、利用者の使用言語が同一だが、国籍が異なるために異なるグループに分類した移動端末装置を、一つのグループにまとめる構成であってもよい。
【００８７】
また、分類記憶部２３は、移動端末装置の利用者が属する団体を表わす団体情報を分類情報として記憶する構成であってもよい。その場合、分類部２５は、現在位置が比較的近く、かつ、利用者の属する団体が同一の移動端末装置を同じグループに分類する。あるいは、分類部２５は、移動端末装置の現在位置に関係なく、利用者の属する団体が同一の移動端末装置を同じグループに分類する構成であってもよい。
例えば、修学旅行のような団体行動中に、利用者が同じ団体に属する他の利用者とはぐれて迷子になった場合に、同じ団体に属する利用者同士が合流することができる。
【００８８】
更に、警告部２８は、災害等のアクシデント発生時だけでなく、移動端末装置が、同じ団体に属する他の利用者の移動端末装置から離れる方向へ移動した場合に、警告を通知する構成であってもよい。このように、移動端末装置の群れを管理することにより、利用者が同じ団体に属する他の利用者とはぐれて迷子になるのを防止することができる。
【００８９】
なお、位置通知部２６は、移動端末装置に対して、他の移動端末装置の位置だけでなく、移動端末装置の近くにある避難場所の位置を通知する構成であってもよい。
例えば、情報配信装置１２に、避難場所記憶部と、避難場所判定部とを設ける。避難場所記憶部は、記憶装置９４を用いて、複数の避難場所それぞれについて、避難場所の位置をあらかじめ記憶している。避難場所判定部は、処理装置９１を用いて、分類部２５が同じグループに分類した移動端末装置について、位置推定部２２が推定した現在位置を平均して算出したグループの重心位置に最も近い避難場所を、避難場所記憶部が記憶した避難場所のなかから判定する。位置通知部２６は、送信装置などの出力装置９３を用いて、複数の移動端末装置のそれぞれに対して、その移動端末装置を分類したグループについて避難場所判定部が判定した避難場所の位置を通知する。
このように、移動端末装置の群れを管理することにより、同じグループの利用者を、同じ避難場所に集めることができる。
【００９０】
各国には、自国民の安全を守る任務がある。外国で勤務する者や外国を旅行している者（在外者）は、言葉や文化の違い、現地情報が十分でないなどの理由により、不安を感じる場面がある。また、留守宅では、いざという時に、安否情報が得づらい場合がある。
例えば、津波が発生した場合、現地では「津波」に関する知識が十分でないために情報を伝えない可能性がある。また、現地語で「津波」と報道されても、在外者が現地語を理解できない場合がある。これらの理由により、在外者が被災する場合がある。
【００９１】
移動端末装置１３〜１５は、自分の位置を情報配信装置１２に随時登録しておく。移動端末装置１３〜１５は、緊急時に、情報配信装置１２に登録された位置情報を共有する。これにより、異国の地で、近くにいる同じ国の国民と情報を共有することができる。
【００９２】
情報配信装置１２は、移動端末装置１３〜１５の移動方向及び移動速度（ベクトル情報）を算出する。情報配信装置１２は、移動端末装置１３〜１５に対して、他の移動端末装置の位置情報だけでなく、算出したベクトル情報を配信する構成であってもよい。これにより、移動端末装置１３〜１５の利用者は、近くにいる同じ国の国民が、どの方向に避難しているかを知ることができる。
【００９３】
なお、方向判定部２７や警告部２８を情報配信装置１２に設けるのではなく、移動端末装置１３〜１５が、情報配信装置１２から通知された他の移動端末装置の位置情報に基づいて、他の移動端末装置から離れる方向に移動しているか否かを判定し、警告を出力する構成であってもよい。情報配信装置１２が推定した移動方向ではなく、位置測定部３０が測定した位置情報に基づいて算出した移動方向を使うので、他の移動端末装置から離れる方向に移動しているか否かを正確に判定することができる。
【００９４】
また、他の移動端末装置から離れる方向に移動しているときに警告をするのではなく、他の移動端末装置の移動方向と異なる方向に移動しているときに警告する構成であってもよい。
【００９５】
また、情報配信装置１２は、複数の移動端末装置の移動速度がほぼ同時に速くなった場合に、避難が始まったと判断する構成であってもよい。なお、情報配信装置１２が、移動端末装置１３〜１５に対して、他の移動端末装置のベクトル情報を送信する構成である場合、避難が始まったか否かを、移動端末装置１３〜１５が判断する構成であってもよい。移動端末装置１３〜１５は、避難が始まった場合に、そのことを表示するなどして利用者に通知する構成であってもよい。
【００９６】
在外者（外国に滞在している日本人や日本に滞在している外国人など）向けに、各人の母国語で、安心安全にかかる情報を双方向で提供する。各国は、渡航先国との間で、安心安全にかかる情報を共有する。例えば、各国に、情報配信装置１２を設ける。情報配信装置１２同士で通信し、それぞれの情報配信装置１２が持っている情報を交換する。
例えば、Ａ国の情報配信装置１２は、Ｂ国の情報配信装置１２から、Ｂ国滞在中のＡ国の利用者の位置情報を取得する。Ｂ国で災害等のアクシデントが発生した場合、Ａ国の情報配信装置１２は、Ａ国内にいるその利用者の家族に対して、利用者の位置情報を通知する。そうすれば、災害等のアクシデントによってＡ国とＢ国との間の通信が一時的に不通になった場合であっても、Ｂ国滞在中のＡ国の利用者が被災地にいるのか、被災地から離れた安全な場所にいるのかを、利用者の家族に知らせることができる。
【００９７】
あるいは、例えば日本国内に設けた情報配信装置１２（情報共有プラットフォーム）に情報を集めておき、その情報配信装置１２に対して、日本国内あるいは外国からアクセスすることにより、各国で情報を共有する構成であってもよい。情報配信装置１２は、例えば、ＳａａＳ（Ｓｏｆｔｗａｒｅ  ａｓ  ａ  Ｓｅｒｖｉｃｅ）形態でサービスを提供する。
【００９８】
また、災害等のアクシデントが発生したことをアクシデント検出部２４が検出する方式には、上述した方式のほか、例えば、次のような方式がある。
・災害チャーターした観測衛星により、緊急観測をする。例えば、洪水発生時に、浸水している範囲を観測する。アクシデント検出部２４は、観測衛星が観測した浸水範囲に基づいて、浸水範囲が将来どのように移動するかを予測して、サービス提供範囲が浸水する可能性があるか否かを予測する。
・干渉ＳＡＲ（合成開口レーダ）により、地形の変化を常時モニタリングして観測する。例えば、地すべりや地盤沈下などの発生を観測する。分類部２５は、干渉ＳＡＲが観測した地形の変化に基づいて、土砂ダムによる浸水や土石流の発生などの災害等のアクシデントが発生するか否かを判定する。
【００９９】
例えば、各国に地上局を設け、観測衛星からの画像を受信する。観測衛星は、国境をまたいで複数の国を観測する。各地上局は、観測衛星が視野に入っているとき、観測衛星と通信できる。各地上局は、観測衛星が自国を観測したときの画像を受信する。各地上局は、受信した画像を自由に利用する。
しかし、災害等のアクシデントは、国境とは無関係に発生する。このため、観測衛星が観測した画像を、国境とは無関係にシームレスに利用する必要がある。そのため、情報共有プラットフォームを一箇所に設け、各地上局が受信した画像を、情報共有プラットフォームに対して送出する。なお、データ伝送には、通信衛星回線を利用することが好ましい。地上施設が少ない分、災害等のアクシデント発生時に被害を受ける可能性が低く、抗堪性が高いからである。
情報共有プラットフォームは、各国の地上局から受信した画像をマージ処理するなどしてシームレスに利用可能なデータに加工する。
【０１００】
震災発生時には、震源地近くで揺れを観測した時刻（震災検知時刻）から、震源地から遠い地点に影響が出る時刻（影響発生時刻）までに、数秒〜数十秒の猶予（影響発生前時間）がある。この時間を有効に活用して、防災情報を配信する。
例えば、情報共有プラットフォームは、複数の利用者の移動速度が同時に速くなった場合、避難が始まったと自動認識する。
また、情報共有プラットフォームは、震災検知時刻に、登録ユーザー（利用者）の位置情報を自動収集する。
情報共有プラットフォームは、震災検知時刻から一定時間前における登録ユーザーの位置情報に基づいて、移動ベクトル（移動方向及び移動速度）を算出する。
また、情報共有プラットフォームは、震災検知時刻以降も、登録ユーザーの位置情報を収集して、移動ベクトルを随時更新する。
移動ベクトルの方向が、例えば同一国民や町内会など同じグループ内の多数を占めるユーザーと異なる場合、情報共有プラットフォームは、変更方向の情報を提供し、アラーム（警告）を発信する。
また、情報共有プラットフォームは、各ユーザの母国語で、安心安全にかかる情報を双方向で提供する。
また、影響発生時刻後、情報共有プラットフォームは、震災検知時刻や影響発生時刻における登録ユーザーの位置情報に基づいて、災害等のアクシデントの影響を受ける範囲内に登録ユーザーがいたか否かを判定（位置フィルタリング）する。情報共有プラットフォームは、判定結果に基づいて、安否確認用データを生成し、登録ユーザーの家族などからの問い合わせに答える。
【０１０１】
以上、説明した構成は、一例であり、他の構成であってもよい。例えば、本質的でない部分の構成を、他の構成で置き換えた構成であってもよい。
【０１０２】
以上説明した情報配信装置（１２）は、データを処理する処理装置（９１）と、データを入力する入力装置（９２）と、データを出力する出力装置（９３）と、位置取得部（２０）と、位置推定部（２２）と、アクシデント検出部（２４）と、位置通知部（２６）とを有する。
上記位置取得部は、上記入力装置を用いて、複数の移動端末装置（１３〜１５）のそれぞれについて、上記移動端末装置の位置を表わす位置情報を繰り返し取得する。
上記位置推定部は、上記処理装置を用いて、上記複数の移動端末装置のそれぞれについて、上記位置取得部が取得した過去の位置情報に基づいて、上記移動端末装置の現在位置を推定する。
上記アクシデント検出部は、上記処理装置を用いて、アクシデントの発生を検出する。
上記位置通知部は、アクシデントの発生を上記アクシデント検出部が検出した場合に、上記出力装置を用いて、上記複数の移動端末装置のそれぞれに対して、上記移動端末装置以外の移動端末装置について上記位置推定部が推定した現在位置を通知する。
【０１０３】
移動端末装置の利用者が、災害等のアクシデント発生時に近くにいる他の利用者の位置を知ることができるので、利用者同士が助け合うことができる。
【０１０４】
上記情報配信装置（１２）は、更に、分類部（２５）を有する。
上記分類部は、上記処理装置（９１）を用いて、上記位置推定部（２２）が推定した上記移動端末装置（１３〜１５）の現在位置に基づいて、上記複数の移動端末装置を、互いの現在位置が近い移動端末装置からなる１つ以上のグループに分類する。
上記位置通知部（２６）は、アクシデントの発生を上記アクシデント検出部（２４）が検出した場合に、上記出力装置（９３）を用いて、上記複数の移動端末装置のそれぞれに対して、上記分類部が上記移動端末装置と同じグループに分類した移動端末装置について上記位置推定部が推定した現在位置を通知する。
【０１０５】
移動端末装置の利用者が、災害等のアクシデント発生時に近くにいる他の利用者の位置を知ることができるので、利用者同士が助け合うことができる。
【０１０６】
上記情報配信装置（１２）は、更に、データを記憶する記憶装置（９４）と、分類記憶部（２３）とを有する。
上記分類記憶部は、上記記憶装置を用いて、上記複数の移動端末装置それぞれについて、上記移動端末装置（１３〜１５）の利用者が使用する言語を表わす使用言語情報と、上記移動端末装置の利用者の国籍を表わす国籍情報とのうち少なくともいずれかを分類情報として記憶する。
上記分類部（２５）は、上記処理装置（９１）を用いて、上記位置推定部（２２）が推定した上記移動端末装置の現在位置と、上記分類記憶部が記憶した分類情報とに基づいて、上記複数の移動端末装置を、互いの現在位置が近く、かつ、利用者が同一もしくは類似した言語を使用し又は利用者が同一の国籍を有する移動端末装置からなる１つ以上のグループに分類する。
【０１０７】
移動端末装置の利用者が、災害等のアクシデント発生時に近くにいる同じ言葉を理解する他の利用者の位置を知ることができるので、言葉の通じる者同士、あるいは、同国人同士で助け合うことができる。
【０１０８】
上記位置通知部（２６）は、更に、上記出力装置（９３）を用いて、上記複数の移動端末装置（１３〜１５）のそれぞれに対して、上記分類部（２５）が同じグループに分類した移動端末装置の現在位置を平均して算出した重心位置に最も近い避難場所を通知する。
【０１０９】
これにより、同じグループに分類された利用者を、同じ避難場所に集合させることができ、利用者同士が助け合うことができる。
【０１１０】
上記情報配信装置（１２）は、更に、方向判定部（２７）と、警告部（２８）とを有する。
上記方向判定部は、上記処理装置（９１）を用いて、上記複数の移動端末装置（１３〜１５）のそれぞれについて、上記位置取得部（２０）が取得した過去の位置情報に基づいて、上記移動端末装置の移動方向を判定する。
上記警告部は、上記出力装置（９３）を用いて、上記方向判定部が判定した移動方向に基づいて、上記移動端末装置以外の移動端末装置から離れる方向へ向けて移動している移動端末装置に対して、警告を通知する。
【０１１１】
これにより、移動端末装置の利用者同士の合流を容易にすることができる。
【０１１２】
上記警告部は、上記複数の移動端末装置の現在位置を平均して算出した重心位置から離れる方向へ向けて移動している移動端末装置に対して、上記警告を通知する。
【０１１３】
これにより、移動端末装置が他の移動端末装置から離れる方向へ移動しているか否かを容易に判定し、警告することができる。
【０１１４】
上記位置通知部（２６）は、更に、上記出力装置（９３）を用いて、上記複数の移動端末装置（１３〜１５）のそれぞれに対して、上記移動端末装置以外の移動端末装置の移動方向、及び、上記複数の移動端末装置の移動方向を平均した方向とのうち少なくともいずれかを通知する。
【０１１５】
これにより、他の利用者の移動方向を利用者が把握することができる。
【符号の説明】
【０１１６】
１０  情報配信システム、１２  情報配信装置、１３〜１５  移動端末装置、２０  位置取得部、２１  位置記憶部、２２  位置推定部、２３  分類記憶部、２４  アクシデント検出部、２５  分類部、２６  位置通知部、２７  方向判定部、２８  警告部、３０  位置測定部、３１  位置送信部、３２  位置受信部、３３  位置表示部、３４  警告受信部、３５  警告出力部、９１  処理装置、９２  入力装置、９３  出力装置、９４  記憶装置、Ｓ１２  情報配信処理、Ｓ２０  位置取得工程、Ｓ２１  速度算出工程、Ｓ２２  アクシデント検出工程、Ｓ２３，Ｓ２８，Ｓ５０  端末選択工程、Ｓ２４  位置推定工程、Ｓ２５  分類処理、Ｓ２６，Ｓ５２，Ｓ５６  グループ選択工程、Ｓ２７  重心算出工程、Ｓ２９  方向判定工程、Ｓ３０  位置通知工程、Ｓ３１  警告通知工程、Ｓ５１  グループ生成工程、Ｓ５３，Ｓ５７  評価値算出工程、Ｓ５４  結合判定工程、Ｓ５５  グループ結合工程。
【図１】
0005769651.tif 000002
【図２】
0005769651.tif 000003
【図３】
0005769651.tif 000004
【図４】
0005769651.tif 000005
【図５】
0005769651.tif 000006
【図６】
0005769651.tif 000007
【図７】
0005769651.tif 000008